(57)【要約】【課題】          本発明の課題は、低臭気で作業環境性に優れ、且つ洗浄性の高いインクジェットプリンター用のインク洗浄液を提供することにある。【解決手段】  一般式（１）で表される重合性化合物を含有する活性エネルギー線硬化型インクジェットインク用洗浄液。【００１０】【化１】2015120255.tif 000006                                                （１）【００１１】（式（１）中、Ｒ１は水素原子又はメチル基を表し、Ｒ２は炭素原子数２〜２０の有機残基を表し、Ｒ３は水素原子又は炭素原子数１〜１１の有機残基を表す。）ジアリルフタレート等を併用してもよく好ましい。【選択図】      なし【特許請求の範囲】
【請求項１】
一般式（１）で表される重合性化合物を含有することを特徴とすることを特徴とする活性エネルギー線硬化型インクジェットインク用洗浄液。
【化１】
2015120255.tif 000005
（１）
（式（１）中、Ｒ１は水素原子又はメチル基を表し、Ｒ２は炭素原子数２〜２０の有機残基を表し、Ｒ３は水素原子又は炭素原子数１〜１１の有機残基を表す。）
【請求項２】
ジアリルフタレート、ラウリル（メタ）アクリレート、２−メチルー２−エチル（メタ）アクリレート、（１，３―ジオキソラン−４−イル）メチル（メタ）アクリレート、エトキシエチルシアノ（メタ）アクリレート、エトキシ変性フェニル（メタ）アクリレート、フェノキシジエチレングリコール（メタ）アクリレート、又はエトキシ変性クレゾール（メタ）アクリレートを含有する請求項１に記載の活性エネルギー線硬化型インクジェットインク用洗浄液。
【請求項３】
重合禁止剤として、ヒンダードフェノール系化合物、ヒンダードアミン系化合物、リン系化合物、又はフェノチアジン系化合物を含む請求項１または２に記載の活性エネルギー線硬化型インクジェットインク用洗浄液。
【請求項４】
前記重合禁止剤として、ヒンダードフェノール系の化合物と、フェノチアジン系から選択される化合物と、ヒンダードアミン系と、リン系化合物とを併用する請求項３に記載の活性エネルギー線硬化型インクジェットインク用洗浄液。
【発明の詳細な説明】
【技術分野】
【０００１】
本発明は、活性エネルギー線硬化型インクジェットインク用の洗浄液に関する。
【背景技術】
【０００２】
インクジェットプリンターによる印刷は、ノズルよりインクを噴射し被記録材に付着せしめる方式であり、従来の印刷方法と異なり版を使用しない印刷方式であることから、少量多品種に対応できるオンデマンド印刷方式として広範囲にわたる利用分野が期待されている印刷方式である。特に近年では、被記録材として、従来の紙等の吸収基材に対する印刷から、プラスチック等の非吸収基材に対する印刷の検討が数多くなされている。
【０００３】
このインクジェット記録装置に用いられるインクとして、紫外線等の活性エネルギー線で硬化、乾燥するインクが、非吸収材料上での乾燥時間の短いこと、印刷画像の付着性、耐久性の優れていること等のため数多く提案されている。
【０００４】
ところで、インクジェットプリンタはヘッドに形成された微小径の吐出口からインクを吐出するため、ヘッド、吐出口の周辺、その他インクジェットプリンタの部品にインクが付着してしまったり、インクが吐出口で硬化することによって吐出口が閉塞されたりする。
このような吐出口の閉塞が生じると吐出性能が低下するため、このような事態の処置のために種々の対策が講じられている。
【０００５】
前記種々の対策中、最も簡易な方法として、適切な洗浄液でノズルを清浄する方法が知られている。例えば特許文献１では、粘度の異なる少なくとも２種の重合性化合物、光重合開始剤、および顔料を含有するインクを供給して印字が行なわれるインクジェットプリンタヘッドを洗浄するための洗浄液であって、該インクに使用されている重合性化合物のうち、最も粘度の低い重合性化合物、または粘度３０ｍＰａ・ｓｅｃ以下からなる酸重合性化合物、を５０重量部以上含有するインクジェットプリンタヘッド用洗浄液が知られている。また特許文献２では、顔料分散剤を含有する光硬化性インクのインク洗浄液が知られている。（例えば特許文献１，２参照）
しかしながら、前記特許文献に記載の洗浄液は、いずれも、洗浄性の観点からのみで調整されており、臭気や皮膚刺激性等の作業環境の観点から調整されたものではなかった。
【先行技術文献】
【特許文献】
【０００６】
【特許文献１】特開２００６−３５４６７号公報
【特許文献２】特開２００７−２５４５５０号公報
【発明の概要】
【発明が解決しようとする課題】
【０００７】
本発明の課題は、低臭気で作業環境性に優れ、且つ洗浄性の高いインクジェットプリンター用のインク洗浄液を提供することにある。
【課題を解決するための手段】
【０００８】
本発明者らは、（メタ）アクリロイル基とビニルエーテル基とを有する重合性化合物を必須成分とすることで、上記課題を解決した。
【０００９】
即ち本発明は、一般式（１）で表される重合性化合物を含有する活性エネルギー線硬化型インクジェットインク用洗浄液を提供する。
【００１０】
【化１】
2015120255.tif 000002
（１）
【００１１】
（式（１）中、Ｒ１は水素原子又はメチル基を表し、Ｒ２は炭素原子数２〜２０の有機残基を表し、Ｒ３は水素原子又は炭素原子数１〜１１の有機残基を表す。）
【発明の効果】
【００１２】
本発明により、低臭気で作業環境性に優れ、且つ洗浄性の高いインクジェットプリンター用のインク洗浄液を提供することができる。
【発明を実施するための形態】
【００１３】
（一般式（１）で表される重合性化合物）
前記一般式（１）において、Ｒ１は水素原子又はメチル基を表し、Ｒ２は炭素原子数２〜２０の有機残基を表し、Ｒ３は水素原子又は炭素原子数１〜１１の有機残基を表す。
Ｒ２は具体的には、炭素原子数２〜２０の直鎖状、分枝状又は環状のアルキレン基、構造中にエーテル結合及び/又はエステル結合により酸素原子を有する炭素原子数２〜２０のアルキレン基、炭素原子数６〜１１の置換されていてもよい芳香族等を表す。中でも、炭素原子数２〜６のアルキレン基、構造中にエーテル結合により酸素原子を有する炭素原子数２〜９のアルキレン基が好ましい。
またＲ３で示される炭素原子数１〜１１の有機残基の具体例としては、炭素原子数１〜１０の直鎖状、分枝状又は環状のアルキル基、炭素原子数６〜１１の置換されてもよい芳香族基等を表す。中でも炭素原子数１〜２のアルキル基、炭素原子数６〜８の芳香族基が好ましい。
【００１４】
中でも、（メタ）アクリル酸２−（２−ビニロキシエトキシ）エチルを使用することが好ましい。（メタ）アクリル酸２−（２−ビニロキシエトキシ）エチルの市販品としては、株式会社日本触媒製のＶＥＥＡ、ＶＥＥＭ等があげられる。
【００１５】
（他の重合性化合物）
本発明においては、前記（メタ）アクリル酸２−（２−ビニロキシエトキシ）エチルを使用することが特徴であるが、本発明の効果を損なわない範囲内で、前記公知の重合性化合物を併用してもよく好ましい。
臭気が低く、刺激性の少ない重合性化合物としては、例えば、ジアリルフタレート、ラウリル（メタ）アクリレート、２−メチルー２−エチル（メタ）アクリレート、（１，３―ジオキソラン−４−イル）メチル（メタ）アクリレート、エトキシエチルシアノ（メタ）アクリレート、エトキシ変性フェニル（メタ）アクリレート、フェノキシジエチレングリコール（メタ）アクリレート、又はエトキシ変性クレゾール（メタ）アクリレート等があげられる。中でも、ジアリルフタレートが、本発明の効果を最大限に発揮できることからなお好ましい。
ジアリルフタレートとしては、ジアリルオルソフタレートやジアリルイソフタレートが好ましく、これらとしては、ダイソー株式会社のモノマー「ダイソーダップモノマー」や「ダイソーダップ100 モノマー」が好ましく使用できる。
【００１６】
ジアリルフタレートを併用する場合は、前記一般式（１）で表される重合性化合物１００重量部に対して０〜８０重量部の割合で併用することがこのましく、０〜７０重量分の割合で添加することがなお好ましい。
【００１７】
一方、本発明の効果を損なう可能性があることから、政府向けGHS分類ガイダンス（平成２５年度改訂版）の「眼に対する重篤な損傷性又は眼刺激性」の分類ＪＩＳによる分類基準が「区分外」以外のものは併用しないことが好ましい。「区分外」以外の重合性化合物の例としては、例えばトリメチロールプロパントリアクリレートやジプロピレングリコールジアクリレートがあげられる。
【００１８】
前記活性エネルギー線重合性化合物の組成物は、使用するインクジェット装置にもよるが、各々のモノマーを配合後の粘度が概ね１〜１００ｍＰａ．ｓとなるように設計することが好ましい。
【００１９】
（重合禁止剤）
本発明の洗浄液には、保存安定性を高め洗浄中の予期せぬゲル化を防ぐため、重合禁止剤を加えてもよく好ましい。重合禁止剤としては特に限定なく公知の重合禁止剤を１種ないしは数種併用して使用することができる。
中でも、ヒンダードフェノール系化合物、フェノチアジン系化合物、ヒンダードアミン系化合物、リン系化合物が特に好ましく使用される。中でも、ヒンダードフェノール系の化合物と、フェノチアジン系またはヒンダードアミン系またはリン系の少なくとも1種から選択される化合物とを併用することが好ましく、ヒンダードフェノール系の化合物と、フェノチアジン系またはヒンダードアミン系から選択される化合物と、リン系化合物とを併用することがなお好ましい。
【００２０】
ヒンダードフェノール系化合物としては、ＢＡＳＦ社製「ＩＲＧＡＮＯＸ  １０１０、１０１０ＦＦ、１０３５、１０３５ＦＦ、１０７６、１０７６ＦＤ、１０７６ＤＷＪ、１０９８、１１３５、１３３０、２４５、２４５ＦＦ、２４５ＤＷＪ、２５９、３１１４、５６５、５６５ＤＤ、２９５」、精工化学社「ＢＨＴスワノックス」「ノンフレックス  アルバ、ＭＢＰ、ＥＢＰ、ＣＢＰ、ＢＢ」「ＴＢＨ」、ＡＤＥＫＡ社製「ＡＯ−２０、３０、５０、５０Ｆ、７０、８０、３３０」、本州化学社製「Ｈ−ＢＨＴ」、エーピーアイ社「ヨシノックス  ＢＢ、４２５、９３０」があげられる。
【００２１】
フェノチアジン系化合物として、精工化学社製「フェノチアジン」、堺化学工業社製「フェノチアジン」「２−メトキシフェノチアジン」、「２−シアノフェノチアジン」があげられる。
【００２２】
ヒンダードアミン系化合物として、ＢＡＳＦ社製「ＩＲＧＡＮＯＸ  ５０６７」「ＴＩＮＵＶＩＮ  １４４、７６５、７７０ＤＦ、６２２ＬＤ」、精工化学社「ノンフレックス  Ｈ、Ｆ、ＯＤ−３、ＤＣＤ、ＬＡＳ−Ｐ」「ステアラー  ＳＴＡＲ」「ジフェニルアミン」「４−アミノジフェニルアミン」「４−オキシジフェニルアミン」、エボニックデグサ社製「ＨＯ−ＴＥＭＰＯ」、日立化成社「ファンクリル  ７１１ＭＭ、７１２ＨＭ」、ＡＤＥＫＡ社製のＬＡ−８２があげられる。
【００２３】
リン系化合物として、ＢＡＳＦ社製「トリフェニルホスフィン」「ＩＲＧＡＦＯＳ  １６８、１６８ＦＦ」、精工化学社「ノンフレックス  ＴＮＰ」があげられる。
【００２４】
その他、好ましく使用できる重合禁止剤としては、ＢＡＳＦ社製「ＩＲＧＡＳＴＡＢ  ＵＶ−１０、２２」、精工化学社製「ハイドロキノン」「メトキノン」「トルキノン」「ＭＨ」「ＰＢＱ」「ＴＢＱ」「２，５−ジフェニルーｐ−ベンゾキノン」、和光純薬社「Ｑ−１３００、１３０１」、ＲＡＨＮ社製「ＧＥＮＯＲＡＤ  １６、１８、２０」を挙げることができる。
【００２５】
重合禁止剤の配合量については、通常の使用量でよい。例えばヒンダードフェノール系化合物の配合量に対する、フェノチアジン系、ヒンダードアミン系、及びリン系の少なくとも1種から選択される化合物の配合量の割合としては、５％以上２５％以下であることが好ましく、１０％以上２０％以下であることが特に好ましい。
また、ヒンダードフェノール系の化合物と、フェノチアジン系またはヒンダードアミン系から選択される化合物と、リン系化合物とを併用する場合、フェノチアジン系またはヒンダードアミン系から選択される化合物の配合量に対するリン系化合物の配合量の割合として、５％以上１００％以下であることが好ましく、１０％以上５０％以下であることが特に好ましい。これらの範囲内だと、重合禁止剤同士による上記の交互作用を有効に利用することができ、結果として、経時安定性と硬化性のバランスが良好である。 
【００２６】
（その他）   
本発明のインク洗浄液には、その他の成分を添加することもできる。   
その他の成分としては、Ｎ，Ｎ−ジメチルホルムアミド、Ｎ，Ｎ−ジメチルアセトアミド、炭酸ジメチル、炭酸ジエチル、炭酸エチレン、炭酸プロピレン、ジメチルスルホキシド、テトラメチル尿素、ジメチルイミダゾリジノン、等も挙げることができる。
【００２７】
その他の成分の添加量は、洗浄液全体の０〜４０重量％であることが好ましく、０〜３０重量％であることがより好ましく、０〜２０重量％であることがさらに好ましい。添加量が上記範囲内であると部材変性が抑えられると共に、本発明で期待される洗浄効果が維持できるため好ましい。   
【００２８】
また、界面活性剤、消泡剤を添加しても良い。界面活性剤を洗浄液に添加することによって洗浄液の表面エネルギーを調整することができ、洗浄液をインクジェットプリンタに塗布した場合に、インクジェットプリンタに対する洗浄液の濡れ性を改善することができるので好ましい。また、消泡剤を洗浄液に添加することによって洗浄液に泡が発生することを防止することができるので好ましい。 
【００２９】
（洗浄液の使用方法）
本発明のインク洗浄液は、公知の活性エネルギー線硬化型インクジェットインクのインクジェットプリンタのクリーニングの洗浄液として使用できる。次にインクジェットプリンタのクリーニング方法の具体的態様の一例を示す。
【００３０】
本発明のインク洗浄液を用いてインクジェットプリンタ又は一部の部品をクリーニングする方法としては、例えば、本発明のインク洗浄液で濡らした生地やクリーニングブレードでインクジェットプリンタ又はその部品を拭く方法、本発明のインク洗浄液にインクジェットプリンタ又はその部品を浸漬する方法、本発明のインク洗浄液をインクジェットプリンタ又はその部品に塗布した後に吸収材をインクジェットプリンタ又はその部品に接触させ、洗浄液を吸収材で吸い取る方法、本発明のインク洗浄液をインクジェットプリンタ又はその部品に塗布した後に、インクジェットプリンタ又はその部品に対してエア吸引、エア給気などを行って洗浄液を除去する方法が挙げられる。   
【００３１】
また、洗浄液でインクジェットプリンタのヘッドをクリーニングするクリーニング機構がインクジェットプリンタに設けられている場合、本発明のインク洗浄液をクリーニング機構に供給すれば、ヘッドがクリーニング機構によってクリーニングされる。また、ヘッドの吐出口をキャップで蓋するに際して、本発明のインク洗浄液が塗布されたキャップを使っても良い。   
【００３２】
さらに、本発明のインク洗浄液をインクジェットプリンタのヘッド内に充填し、ノズルから排出させることによって、ヘッド内及びノズルから排出させることによって、ヘッド内及びノズル近傍を清浄にすることができる。この場合、１ｋＰａ〜１００ｋＰａ程度の圧力をかけることが好ましく、具体的には、ヘッドに接続しているインク供給路から洗浄液を洗浄液をヘッド内に送液する。その際、圧力を調整して洗浄液をノズルから排出させたり、あるいは充填した洗浄液をノズル面からノズル面を傷つけないように、ゴム状チューブなどで強制的に吸引することなども含まれる。場合によっては、プリンタヘッドを駆動し、インク吐出と同様の動作を行ってインク洗浄液を排出することもできる。   
一方、インク洗浄液を循環させてプリンタ内（ノズル、ヘッド、チューブ、ポンプ等）を清浄する方法も例示できる。   
また、ヘッド内に洗浄液を充填し、超音波による外的振動を加えてヘッド内の固形分の溶解性を促進させた後、洗浄液を排出又は回収しても良い。   
【００３３】
本発明において、インクジェット記録装置の使用方法として、数時間に渡りインクジェット記録装置を使用しない場合、本発明のインク洗浄液をインクジェットプリンタのヘッド内に充填するインクジェット記録装置の使用方法が好ましい。このように本発明のインク洗浄液をヘッド内に充填しておくことにより、活性エネルギー線硬化型インクジェットインクの硬化を防ぐことができ、ヘッド詰まりを抑制することができるので好ましい。  
また、一定時間以上（好ましくは１２〜１６８時間、さらに好ましくは２４〜３６時間）吐出が行われない場合に、インク洗浄液により自動的にヘッドのクリーニングを行うことが好ましく、クリーニング後のヘッドをインク洗浄液により充填しておくことがより好ましい。使用時には、充填してあるインク洗浄液を排出又は回収することで活性エネルギー線硬化型インクジェットインクを吐出可能である。  
【実施例】
【００３４】
以下、実施例により、本発明をさらに詳しく説明するが、本発明は、下記実施例に何ら制限されるものではない。なお、以下、実施例中にある部とは、質量部を表す。
【００３５】
（参考例  高濃度顔料分散液（イエローミルベース）の調整例
（ミルベース（１）の製造例）
エバスクリーンイエローＧ０１  １０部
（株）ランクセス製  Ｃ．Ｉ．ピグメントイエロー１５０
ソルスパーズ  ３３０００        ６部
ルーブリゾール製  高分子顔料分散剤
ミラマーＭ２２２              ８４部
ＭＩＷＯＮ社製  ジプロピレングリコールジアクリレート
を攪拌機で１時間撹拌混合した後、ビーズミルで２時間処理し、ミルベース（１）を作製
した。
【００３６】
（参考例  高濃度顔料分散液（マゼンタミルベース）の調整例）
（ミルベース（２）の製造例）
ファストゲンスーパーマゼンタＲＴＳＰ  １０部
ＤＩＣ製  キナクリドンマゼンタ顔料Ｃ．Ｉ．ピグメントレッド１２２
ソルスパーズ  ３２０００  ６部
ルーブリゾール製  高分子顔料分散剤
ライトアクリレートＰＯ−Ａ  ２４部
共栄社化学製  フェノキシエチルアクリレート
ミラマーＭ２２２            ６０部
ＭＩＷＯＮ社製  ジプロピレングリコールジアクリレート
を攪拌機で１時間撹拌混合した後、ビーズミルで２時間処理し、ミルベース（２）を作製した。
【００３７】
（参考例  高濃度顔料分散液（シアンミルベース）の調整例）
（ミルベース（３）の製造例）
ファストゲンブルーＴＧＲ-Ｊ  １０部
ＤＩＣ製  フタロシアニン顔料Ｃ．Ｉ．ピグメントブルー１５：４
ソルスパーズ  ３２０００  ４．５部
ルーブリゾール製  高分子顔料分散剤
ライトアクリレートＰＯ−Ａ  １８部
共栄社化学製  フェノキシエチルアクリレート
ミラマーＭ２２２            ６７．５部
ＭＩＷＯＮ社製  ジプロピレングリコールジアクリレート
を攪拌機で１時間撹拌混合した後、ビーズミルで２時間処理し、ミルベース（３）を作製した。
【００３８】
（参考例  高濃度顔料分散液（ブラックミルベース）の調整例）
（ミルベース（４）の製造例）
＃９６０  １０部
三菱化学（株）製  カーボンブラック
ソルスパーズ  ３２０００  ４．５部
ルーブリゾール製  高分子顔料分散剤
ライトアクリレートＰＯ−Ａ  １８部
共栄社化学製  フェノキシエチルアクリレート
ミラマーＭ２２２              ８４部
ＭＩＷＯＮ社製  ジプロピレングリコールジアクリレート
を攪拌機で１時間撹拌混合した後、ビーズミルで２時間処理し、ミルベース（３）を作製
した。
【００３９】
（参考例  イエローインク、マゼンタインク、シアンインク、ブラックインク調整例）
イエローインク、マゼンタインク、シアンインク、ブラックインクの各色については上記ミルベース（１）〜（４）を用いてそれぞれ、多官能モノマーとしてジプロピレングリコールジアクリレート（ＭＩＷＯＮ社）、ダイソーダップモノマー（ダイソー社）を１０部、エチルカルビトールアクリレート（大阪有機化学社）を混合したものに、光重合開始剤としてイルガキュア８１９（ＢＡＳＦ社製）を４部、イルガキュア２９５９（ＢＡＳＦ社製）を２部、ダロキュア１１７３（ＢＡＳＦ社製）を４部、ルシリンＴＰＯ（ＢＡＳＦ社製）を１部、表面張力調整剤としてＢＹＫ−ＵＶ３５００（ＢＹＫ社製シリコーンオイル）０．１部、ＫＦ−３５１Ａ（信越シリコーン社製  シリコーンオイル）０．２部、重合禁止剤としてノンフレックスアルバ（精工化学社製）０．０５部を添加し、６０℃で３０分加熱攪拌した後、調整例１のミルベース（５）を添加し、十分に撹拌・混合し各インクを得た。
【００４０】
（実施例１  活性エネルギー線硬化型インクジェットインク用洗浄液の製造方法）
表１の組成に従い、活性エネルギー線硬化型インクジェットインク用洗浄液を製造した。具体的には、２官能モノマーとしてＶＥＥＡ（日本触媒社製のアクリル酸２−（２−ビニロキシエトキシ）エチル）を４８部、ジアリールフタレートとしてダイソー社のダイソーダップ１００モノマーを５２部を添加し、十分に撹拌・混合した。
次いで１．２μｍのメンブレンフィルターを用いてろ過することにより、活性エネルギー線硬化型インクジェットインク用洗浄液（１）を得た。
【００４１】
（実施例２〜５  活性エネルギー線硬化型インクジェットインク用洗浄液の製造方法）
重合性化合物の配合量を表１の通りとした以外は、実施例１と同様にして、活性エネルギー線硬化型インクジェットインク用洗浄液（２）〜（５）を得た。
【００４２】
（比較例１〜５  活性エネルギー線硬化型インクジェットインク用洗浄液の製造方法）
モノマー種の組合せや混合比率を変えて実施例１と同様にして、比較例用の活性エネルギー線硬化型インクジェットインク用洗浄液比較例１〜５を得た。
【００４３】
（物性測定方法）
活性エネルギー線硬化型インクジェットインク用洗浄液として、表面張力と粘度を測定した。測定方法を示す。
【００４４】
[表面張力]
協和界面科学社製のウェルヘルミー型表面張力測定器：ＣＢＵＰ−Ａ３を用いて表面張力を測定した。プラスチック容器に入れたインクを恒温水槽に浸漬し、予め２５℃に調整することで２５℃の表面張力を測定した。
【００４５】
[粘度]
東機産業社製粘度測定器：ＴＶＥ−２０Ｌにて、２５℃における粘度を測定した。測定回転数は、５０ｒｐｍ／ｍｉｍとした。なお、本発明の実施例で使用したインクジェット印刷評価装置にて安定に印刷する為にインクの粘度を３〜１０ｍＰａ・ｓｅｃの間に調整した。
【００４６】
組成比、及び物性を表１に示す。なお数値は部を表す。
【００４７】
【表１】
2015120255.tif 000003
【００４８】
表１中、「Ｍ３００」はＭＩＷＯＮ社製のトリメチロールプロパントリアクリレートであり、「ＶＥＥＡ」は日本触媒社製のアクリル酸２−（２−ビニロキシエトキシ）エチルであり、「Ｍ２２２」はＭＩＷＯＮ社製のジプロピレングリコールジアクリレートであり、ダイソーダップ１００モノマーはダイソー社のジアリルイソフタレートモノマーであり、ダイソーダップモノマーはダイソー社のオルソフタレートモノマーであり、「ＰＯ−Ａ」は共栄社製のフェノキシエチルアクリレートである。また、ノンフレックスアルバは精工化学社製重合禁止剤、ＡＯ−８０はアデカ社製フェノール系重合禁止剤、ＴＰＰは北興化学のトリフェニルフォスフィン、アデカスタブＬＡ−８２はアデカ社製ヒンダードアミン系重合禁止剤である。
【００４９】
（洗浄液の評価）
活性エネルギー線硬化型インクジェットインク用洗浄液の実施例１〜５、比較例１〜３の洗浄特性および臭気の評価は以下のように行った。
【００５０】
[洗浄特性]
ステンレス鋼の板の上にインクを１０μｌ滴下した後、この板を４５度に傾ける。傾けてから１０秒後に、インクの上方から洗浄液を１００μｌ滴下し、目視でインクの色がどの程度薄まるか３段階で評価した。
○：殆ど色がわからない    △：僅かに色が確認できる    ×：色がはっきり確認できる
【００５１】
[臭気の評価]
男性３人、女性２人計５人により洗浄液の臭気を嗅ぐ官能評価を行いその平均点を算出した。臭気の強い方から弱い方への５段階評価とし、強臭気「５」  →  低臭気「１」とした。
【００５２】
[刺戟性の評価]
男性３人、女性２人計５人により洗浄液の臭気を嗅ぐ官能評価を行いその平均点を算出した。刺激の強い方から弱い方への５段階評価とし、強臭気「５」  →  低臭気「１」とした。
結果を表２に示す。
【００５３】
【表２】
2015120255.tif 000004
【００５４】
実施例１〜６、及び比較例１〜３の評価結果より、アクリル酸２−（２−ビニロキシエトキシ）エチルを含む活性エネルギー線硬化型インクジェット用洗浄液は洗浄性、低刺激性に優れる。一方比較例１、２は、政府向けGHS分類ガイダンス（平成２５年度改訂版）の「眼に対する重篤な損傷性又は眼刺激性」の分類ＪＩＳによる分類基準が「区分外」ではないモノマーを併用した例であるが、低刺激性価に劣り、比較例３は刺激、洗浄性ともに劣る結果となった。